(57)【特許請求の範囲】
【請求項１】
配電設備の不良箇所を含む不良情報を記憶する修理票情報記憶手段と、
前記配電設備ごとに、配設位置や施設年度を含む設備情報を記憶する設備情報記憶手段と、
前記配電設備が配設された配電網情報を記憶する配電情報記憶手段と、
前記修理票情報記憶手段と、前記設備情報記憶手段と、前記配電情報記憶手段とに基づいて、電柱不良箇所を抽出し、当該電柱に配設され、施設年度が所定条件を満たす他の前記配電設備を抽出し、当該電柱からの距離が所定範囲内に配設され、不良箇所である他の前記配電設備を抽出して、電柱不良箇所に抽出結果に応じた優先ポイントを付与する電柱不良箇所抽出手段と、
を備えることを特徴とする設備管理支援システム。
【請求項２】
前記修理票情報記憶手段は、改修の緊急度を示すレベルを含む不良情報を記憶し、
前記電柱不良箇所抽出手段は、前記修理票情報記憶手段に記憶したレベルに基づいて、緊急度が高く優先ポイントが高い順に、前記電柱不良箇所を並び替える、
ことを特徴とする請求項１に記載の設備管理支援システム。
【請求項３】
前記電柱不良箇所抽出手段で抽出した前記電柱不良箇所に前記優先ポイントを加味して地図上に表示する地図プロット手段と、
を備えることを特徴とする請求項１または２に記載の設備管理支援システム。
【発明の詳細な説明】
【技術分野】
【０００１】
この発明は、配電設備の設備不良箇所や配電設備情報などを管理する設備管理支援システムに関する。
【背景技術】
【０００２】
電力会社は、電力を安定供給するために、配電設備を巡視・点検しており、不良箇所の有無を確認して修理内容を修理票に記入し、必要に応じて改修工事を実施する。ここで、電力会社の保有する電柱や電線、変圧器を含む配電設備は、電力会社管内に張り巡らされた配電網に配設されているため、その数は膨大になる。このため、巡視・点検を効率的に行ったり、改修工事を効率的に立案したりすることが必要である。
【０００３】
そこで、配電設備などの不良箇所の修理内容を記載した修理票をシステム上で管理することにより、配電設備の修理業務を効率的に行えるようにする修理票管理システムに関する技術が提案されている（例えば、特許文献１参照。）。
【先行技術文献】
【特許文献】
【０００４】
【特許文献１】特開２００６−０４０１５７号公報
【発明の概要】
【発明が解決しようとする課題】
【０００５】
ところで、修理票は、不良箇所が発見された配電設備ごとに記憶されているものである。しかしながら、例えば、不良箇所が発見された配電設備の中で電柱を抽出して、電柱と、その電柱に配設された他の配電設備の中で、所定の交換条件を満たす配電設備、例えば施設年度が交換時期となった配電設備や、その電柱の周辺の不良箇所を合わせることで、効率的な改修工事を立案することができると本願発明者は考えた。すなわち、電柱と関連設備や、その周辺をまとめて改修工事をできるため、要する時間や手間を削減可能であり、より効率的な改修工事を立案可能となる。これに対して、例えば、改修時期の早い順に改修工事を立案すると、改修時期がわずかに前後する隣接箇所の改修工事を別々に行ってしまい、効率的ではないおそれがある。
【０００６】
特許文献１に記載の技術は、配電設備の修理業務を効率的に行うことができるものであるが、不良箇所が発見された電柱に配設された他の配電設備の中で施設年度が交換時期となったものや、当該電柱の周辺の不良箇所は修理票に記載されていないため管理することはできない。
【０００７】
そこで、この発明は、前記の課題を解決し、巡視・点検によって発見され修理票に記載された不良箇所の中で電柱に着目し、不良箇所が発見された電柱に配設された他の配電設備の中で所定の交換条件を満たす配電設備や、当該電柱の周辺の不良箇所を合わせて管理することで効率的な設備改修工事の立案を支援する設備管理支援システムを提供することを目的としている。
【課題を解決するための手段】
【０００８】
前記の課題を解決するために、請求項１の発明は、配電設備の不良箇所を含む不良情報を記憶する修理票情報記憶手段と、前記配電設備ごとに、配設位置や施設年度を含む設備情報を記憶する設備情報記憶手段と、前記配電設備が配設された配電網情報を記憶する配電情報記憶手段と、前記修理票情報記憶手段と、前記設備情報記憶手段と、前記配電情報記憶手段とに基づいて、電柱不良箇所を抽出し、当該電柱に配設され、施設年度が所定条件を満たす他の前記配電設備を抽出し、当該電柱からの距離が所定範囲内に配設され、不良箇所である他の前記配電設備を抽出して、電柱不良箇所に抽出結果に応じた優先ポイントを付与する電柱不良箇所抽出手段と、を備えることを特徴とする設備管理支援システムである。
【０００９】
この発明によれば、修理票情報記憶手段と、設備情報記憶手段と、配電情報記憶手段とに基づいて、電柱不良箇所が抽出され、当該電柱に配設され、施設年度が所定条件を満たす他の配電設備が抽出され、当該電柱の周辺に配設され、不良箇所である他の配電設備が抽出されて、電柱不良箇所に優先ポイントが付与される。
【００１０】
請求項２に記載の発明は、請求項１に記載の設備管理支援システムにおいて、前記修理票情報記憶手段は、改修の緊急度を示すレベルを含む不良情報を記憶し、前記電柱不良箇所抽出手段は、前記修理票情報記憶手段に記憶したレベルに基づいて、緊急度が高く優先ポイントが高い順に、前記電柱不良箇所を並び替える、ことを特徴とする。
【００１１】
請求項３に記載の発明は、請求項１または２に記載の設備管理支援システムにおいて、前記電柱不良箇所抽出手段で抽出した前記電柱不良箇所に前記優先ポイントを加味して地図上に表示する地図プロット手段と、を備えることを特徴とする。
【発明の効果】
【００１２】
請求項１に記載の発明によれば、修理票情報記憶手段と、設備情報記憶手段と、配電情報記憶手段とに基づいて、電柱不良箇所だけではなく、当該電柱に配設され、施設年度が所定条件を満たす他の配電設備や、当該電柱からの距離が所定範囲内に配設され、不良箇所である他の配電設備を合わせて抽出することができる。すなわち、巡視・点検によって不良箇所が発見された電柱と、その電柱に配設された他の配電設備の中で、所定の交換条件を満たす配電設備、例えば施設年度が交換時期となった配電設備や、その電柱からの距離が所定範囲内の不良箇所を合わせて改修工事を立案することができる。これにより、電柱と関連設備や、その周辺の不良箇所をまとめて改修工事をすることができるため、改修工事に要する時間や手間を削減可能であり、効率的な改修工事を立案することが可能となる。
【００１３】
請求項２に記載の発明によれば、緊急度が高く優先ポイントが高い順に、電柱不良箇所を並び替えるため、より適切に不良箇所の改修工事を立案することができる。
【００１４】
請求項３に記載の発明によれば、電柱不良箇所に優先ポイントを加味して地図上に表示するため視覚的に容易に認識できるので、不良箇所がより容易に把握できる。すなわち、プロットされた地図を確認することにより、不良箇所が集中している地域などを把握することができるので、効率的な改修工事を立案することがより容易になる。
【図面の簡単な説明】
【００１５】
【図１】この発明の実施の形態に係る設備管理支援システムの概略構成ブロック図である。
【図２】図１の設備管理支援システムの修理票データベースのデータ構成図である。
【図３】図１の設備管理支援システムの設備情報データベースのデータ構成図である。
【図４】図１の設備管理支援システムの電柱不良箇所抽出タスクによって抽出した不良電柱のリストを説明する図である。
【図５】図１の設備管理支援システムの電柱不良箇所抽出タスクによって抽出した不良電柱に優先ポイントによって順位付けされたリストを説明する図である。
【図６】図１の電柱不良箇所抽出タスクによる処理を示すフローチャートである。
【図７】図１の設備管理支援システムの地図プロットタスクによって不良電柱がプロットされた地図である。
【発明を実施するための形態】
【００１６】
つぎに、この発明の実施の形態について図面を用いて詳しく説明する。
【００１７】
図１ないし図７は、この発明の実施の形態を示している。設備管理支援システム１は、巡視・点検によって発見され修理票に記載された不良箇所の中で電柱に注目し、電柱の改修工事に合わせて、不良箇所が発見された電柱に配設された他の配電設備の中で施設年度が交換時期となったものや、当該電柱の周辺の不良箇所を合わせて管理するものである。ここで、配電設備とは、電柱、電線、変圧器、腕金を含むものである。設備管理支援システム１は、図１に示すように、主として、修理票管理サーバ２と、配電地図情報管理サーバ３と、修理票管理支援サーバ４とで構成されている。修理票管理サーバ２、配電地図情報管理サーバ３、修理票管理支援サーバ４は、それぞれ通信部（図示略）を備え、修理票管理支援サーバ４は、修理票管理サーバ２、配電地図情報管理サーバ３と、通信網ＮＷを介して通信可能に接続されている。
【００１８】
修理票管理サーバ２は、配電設備の巡視・点検業務の担当部門に配設され、主として、修理票情報記憶手段としての修理票データベース２１ａと、通信部（図示略）と、これらを制御などする制御部（図示略）と、を備えている。
【００１９】
修理票情報記憶手段２１は、配電設備の不良箇所を含む不良情報を修理票データベース２１ａとして格納している。修理票データベース２１ａは、作業者が、配電設備の巡視・点検によって発見した配電設備の不良情報を記憶しているものである。修理票データベース２１ａには、図２に示すように、修理票を識別する識別ＩＤ２１０１ごとに、線路コード２１０２、電柱番号２１０３、不良箇所２１０４、不良内容２１０５、不良設備名２１０６、不良設備ＩＤ２１０７、不良理由２１０８、改修方法２１０９、電柱位置２１１０、改修情報２１１１およびその他２１１２が記憶されている。線路コード２１０２には、不良箇所が発見された配電設備が接続されている線路を識別するＩＤが記憶され、電柱番号２１０３には、不良箇所が発見された配電設備が接続されている電柱を識別するＩＤが記憶されている。不良箇所２１０４には、不良箇所が発見された配電設備が記憶されており、例えば「本柱」、「腕金」、「高圧電線」などと記憶されている。不良内容２１０５には、不良の内容が、例えば、「風化，ひび，亀裂，変形，腐食，錆，かけがある」、「著しい湾曲，傾斜がある」、「バインド切れ，はずれ，ずれがある」などと記憶されている。不良設備名２１０６には、不良設備が分類されて記憶されており、例えば、「支持物・本柱」、「アーム・高圧アーム」、「電線・高圧架空線」などと記憶されている。不良設備ＩＤ２１０７には、不良箇所が発見された配電設備を識別するＩＤが記憶されている。不良理由２１０８には、改修の理由が記憶され、改修方法２１０９には、改修方法が、例えば、「取替」、「撤去」、「取付」などと記憶されている。電柱位置２１１０には、当該不良箇所が発見された配電設備の配設位置として緯度、経度が記憶されている。また、改修情報２１１１には、改修工事に関する工事内容、設計者、工程状態、工事希望日、施工決定日などが記憶されている。その他２１１２には、配電設備の改修の緊急度を示すレベルが、例えば「レベル１」（緊急度：低）〜「レベル３」（緊急度：高）などと順位付けして記憶されている。ここで、レベルは、数字が大きいほど順位が高い、すなわち、改修工事の緊急度が高いものであり、巡視・点検時に作業者によって判定、入力されるものである
【００２０】
修理票データベース２１ａは、巡視・点検を実施する作業者が携帯する携帯情報端末（図示略）から通信網を介して直接入力されたり、作業者が巡視・点検時に記入した紙の修理票を業務用パソコンを介して入力（転記）されたりするようになっている。この修理票データベース２１ａに記憶された修理票情報は、通信網ＮＷを介して修理票管理支援サーバ４から参照可能となっている。
【００２１】
配電地図情報管理サーバ３は、配電設備の管理業務の担当部門に配設され、図１に示すように、主として、設備情報記憶手段としての設備情報データベース３１ａと、配電情報記憶手段としての配電情報データベース３２ａと、通信部（図示略）と、これらを制御などする制御部（図示略）と、を備えている。
【００２２】
設備情報記憶手段３１は、配電設備ごとに、配設位置（緯度、経度）や施設年度を含む設備情報を設備情報データベース３１ａとして格納している。設備情報データベース３１ａは、電力会社が保有する電柱や電線を含む配電設備情報を記憶しているものである。設備情報データベース３１ａには、図３に示すように、配電設備を識別する設備ＩＤ３１１ごとに、電柱ＩＤ３１２、施設年３１３およびその他３１４が記憶されている。電柱ＩＤ３１２には、当該配電設備が配設されている電柱を識別する電柱ＩＤが記憶されている。施設年３１３には、当該配電設備が施設された年が記憶されている。その他３１４には、例えば、配電設備の型番やメーカ名、製造年月日などが記憶されている。設備情報データベース３１ａは、配電設備が新設、更新、撤去されたりした際に、データが追加、更新、削除されるようになっている。
【００２３】
配電情報記憶手段３２は、地図情報と配電設備の配設位置などを含む配電網情報を配電情報データベース３２ａとして格納している。配電情報データベース３２ａは、配電設備が新設、更新、撤去されたり、配電網が変更されたりした際に、データが追加、更新、削除されるようになっている。
【００２４】
修理票管理支援サーバ４は、改修工事の立案業務の担当部門に配設され、図１に示すように、主として、入力部４１と、表示部４２と、記憶部４３と、電柱不良箇所抽出タスク４４と、周辺抽出タスク４５と、地図プロットタスク４６と、通信部（図示略）と、これらを制御などする制御部４０とを備えている。
【００２５】
入力部４１は、後述するような配電設備の抽出条件や、周辺不良電柱の抽出範囲を含む情報を入力する機器であり、例えば、キーボードやマウスなどである。
【００２６】
表示部４２は、入力部４１から入力されたデータや、処理の結果などを表示する機器であり、例えば、ＣＲＴディスプレイ、ＬＣＤなどの表示装置などである。この表示部４２は、地図プロットタスク４６によって処理された地図を表示する。
【００２７】
記憶部４３は、設備管理支援システム１に必要な各種データやプログラム、タスクを記憶しており、例えば、入力部４１から入力される情報を記憶可能となっている。
【００２８】
電柱不良箇所抽出タスク４４は、修理票管理サーバ２の修理票データベース２１ａと、配電地図情報管理サーバ３の設備情報データベース３１ａと、配電情報データベース３２ａとに基づいて、電柱の不良箇所（電柱不良箇所）を抽出し、当該電柱に配設され、施設年度が所定条件を満たす他の配電設備を抽出し、当該電柱からの距離が所定範囲内に配設され、不良箇所である他の配電設備を抽出して、電柱不良箇所に優先ポイントを付与する機能を有しているプログラム、タスクである。この電柱不良箇所抽出タスク４４は、改修工事の立案業務の担当者が電柱不良箇所抽出タスク４４の起動ボタンを押下すると、制御部４０によって起動されるようにプログラミングされている。
【００２９】
電柱不良箇所抽出タスク４４は、具体的には、図４に示すフローチャートの処理を行う。まず、修理票データベース２１ａから電柱不良データを抽出する（ステップＳ１）。すなわち、通信網ＮＷを介して修理票管理サーバ２の修理票データベース２１ａから電柱不良データを取得する。
【００３０】
そして、ステップＳ１で取得した電柱不良データについて、当該電柱に配設されており、所定条件（抽出条件）に該当する配電設備（設備データ）を抽出する（ステップＳ２）。ここで、抽出条件は、入力部４１を介して予め入力、設定されているものであり、配電設備ごとに設定可能で、具体的には例えば、「電柱：施設年が１９７５以前」、「電線（２５ｓｑ、銅５．０ｍｍ）：施設年が１９８５年以前」、「変圧器（柱上変圧器）：製造年が１９９２年」などと入力、設定されている。このような抽出条件を指定するのは、例えば施設から長期間経過した設備（高経年化設備）は取替時期となることによる。このステップにおいては、通信網ＮＷを介して配電地図情報管理サーバ３の設備情報データベース３１ａから、ステップＳ１で取得した電柱不良データに含まれるすべての電柱について、その電柱に配設されている配電設備の中で抽出条件に合致する配電設備（高経年化設備）を抽出する。このようにして、電柱不良箇所抽出タスク４４は、不良電柱に配設されており、かつ、抽出条件を満たす配電設備を抽出する。
【００３１】
つぎに、周辺抽出タスク４５が起動され、ステップＳ１で取得した電柱不良データについて、抽出範囲内の他の不良電柱を抽出する（ステップＳ３）。ここで、抽出範囲は、入力部４１を介して予め入力、設定されているものであり、周辺電柱不良データとして抽出する抽出範囲を例えば「１００ｍ」、「１０００ｍ」などと入力、設定されている。
【００３２】
周辺抽出タスク４５は、通信網ＮＷを介して配電地図情報管理サーバ３の設備情報データベース３１ａと配電情報データベース３２ａとから、ステップＳ１で取得した電柱不良データに含まれるすべての電柱について、抽出範囲内に位置する他の電柱不良データを周辺電柱不良データとして取得する。
【００３３】
つぎに、ステップＳ１で取得した電柱不良データについて、通信網ＮＷを介して修理票管理サーバ２の修理票データベース２１ａからレベルを取得する（ステップＳ４）。
【００３４】
このようにステップＳ１〜Ｓ４で抽出したデータは、例えば図５に示すような一覧として表示部４２に出力されるようになっている。具体的には、「電柱番号」には、電柱不良データの電柱ＩＤが表示され、「不良箇所」には、ステップＳ２で抽出した不良電柱に配設されている高経年劣化の配電設備が表示されている。ここで、１つの電柱不良データに対して複数の「不良箇所」がある場合は、複数行が表示されるようになっている。「周辺件数」には、ステップＳ３で抽出した周辺の不良電柱の数が表示されている。「ＬＥＶ」には、ステップＳ４で取得したレベルが表示されている。
【００３５】
そして、ステップＳ１〜Ｓ３で抽出したデータに基づいて、各電柱不良データにポイントを加算する（ステップＳ５）。すなわち、各電柱不良データについて、ステップＳ２で抽出した配電設備データの数（図５における各電柱不良データの行数）と、ステップＳ３で抽出した周辺電柱不良データの数とに基づいてポイント加算する。具体的には、配電設備データの数が「１」の場合は「１」、「３」の場合は「３」をポイントとして加算する。また、周辺電柱不良データの数が２本の場合は「２」、１０本の場合は「１０」をポイントとして加算する。このような配電設備データの数と周辺電柱不良データの数とを加算して、当該電柱不良データのポイントとして算出する。
【００３６】
そして、取得した電柱不良データのレベルと、算出したポイントとに基づいて、電柱不良データに優先順位を付す。すなわち、レベルが高い順で、ポイントの高い順に電柱不良データが並び替えられる。ここで、「レベル３」のものは優先順位を最も高くし、「レベル２」以下のものはポイント順に並べるものとする。このようにして並び替えられた電柱不良データは、例えば図６に示すような一覧として表示部４２に出力されるようになっている。この一覧は、優先順位が高い順、すなわち、数値が大きいものから降順（優先順位が「４」から「１」の順）となっている。
【００３７】
地図プロットタスク４６は、電柱不良箇所抽出タスク４４で抽出した電柱不良箇所を表示部４２の地図上に表示する機能を有しているプログラム、タスクである。この地図プロットタスク４６は、担当者が地図プロットタスク４６の起動ボタンを押下すると、制御部４０によって起動されるようにプログラミングされている。
【００３８】
地図プロットタスク４６は、電柱不良箇所抽出タスク４４で抽出した電柱不良データを緯度、経度に基づいて所定の区域に区分けして、当該区域に含まれる電柱不良データの数をカウントして、図７に示すように地図にプロットするものである。ここで、区域は、例えば１０００ｍ四方を１区域とし、１区域を１セルとして地図上に表示する。また、カウントした電柱不良データの中に緊急度が高いものが含まれていたり、カウント数が多い（例えば「１０以上」）の区域は、セルの色を濃く表示するようになっている。
【００３９】
通信部は、通信網ＮＷを経由したデータ通信を可能にし、修理票管理サーバ２、配電地図情報管理サーバ３とデータなどの送受信を行うものである。具体的には、修理票管理サーバ２については、修理票データベース２１ａの不良情報を取得し、配電地図情報管理サーバ３については、設備情報データベース３１ａの設備情報や配電情報データベース３２ａの配電網情報を取得する。
【００４０】
制御部４０は、担当者が電柱不良箇所抽出タスク４４や地図プロットタスク４６の起動ボタンを押下すると所定のタスク４４、４６を起動するように設定されている。
【００４１】
次に、このような構成の設備管理支援システム１の作用・動作について、説明する。
【００４２】
まず、作業者によって配電設備の巡視・点検が実施され、発見された配電設備の不良箇所（要修理箇所）が修理票管理サーバ２の修理票データベース２１ａに記憶される。このとき、作業者が携帯する携帯情報端末から通信網を介して修理票管理サーバ２の修理票データベース２１ａに直接入力されたり、作業者が記入した紙の修理票に基づいて業務用パソコンを介して修理票管理サーバ２の修理票データベース２１ａに入力（転記）されたりする。
【００４３】
改修工事計画を立案する担当者によって、修理票管理支援サーバ４の電柱不良箇所抽出タスク４４が起動される。このとき、予め抽出条件と抽出範囲が入力、設定されている。
【００４４】
電柱不良箇所抽出タスク４４が起動されると、図４に示すような処理が行われる。すなわち、修理票データベース２１ａと、設備情報データベース３１ａと、配電情報データベース３２ａとに基づいて、電柱不良箇所が抽出される。そして、当該電柱に配設され、施設年度が所定条件を満たす他の配電設備が抽出され、さらに、当該電柱の周辺に配設され、不良箇所である他の配電設備が抽出される。そして、抽出したデータに基づいて、電柱不良箇所に優先ポイントが付与されて、優先順位が付けられる。
【００４５】
このようにして、電柱不良箇所が、レベル（緊急度）が高く、優先ポイントが高い順に抽出されて、図６に示すようなリストとして表示部４２に表示される。
【００４６】
そして、担当者によって、表示部４２に表示されたリストが確認されて、例えばリストの降順、優先度の高い順に改修工事が実施されるような計画が立案される。
【００４７】
また、例えば同順位のものが複数ある場合などには、担当者によって、修理票管理支援サーバ４の地図プロットタスク４６が起動される。
【００４８】
地図プロットタスク４６が起動されると、電柱不良箇所抽出タスク４４で抽出した電柱不良箇所に基づいて表示部４２に、図７に示すような区域ごとの電柱不良箇所数がプロットした地図が表示される。
【００４９】
そして、担当者によって、表示部４２に表示された地図が確認されて、例えば電柱不良箇所数の多い（密集している）区域から改修工事が実施されるような計画が立案される。
【００５０】
さらに、例えば、図７に示す地図中で特定の区域を選択した状態で、図６に示すリストを表示すると、選択された区域に該当する電柱不良箇所の行の色を変えたり、マークを付したりするなどしてリスト上で認識することができるようになっている。
【００５１】
以上のように、この実施の形態に係る発明によれば、修理票データベース２１ａと、設備情報データベース３１ａと、配電情報データベース３２ａとに基づいて、電柱不良箇所だけではなく、当該電柱に配設され、施設年度が所定条件を満たす（高経年化した）他の配電設備や、当該電柱の周辺に配設され、不良箇所である他の配電設備を合わせて抽出することができる。すなわち、巡視・点検によって不良箇所が発見された電柱と、その電柱に配設された他の配電設備の中で、所定の交換条件を満たす配電設備、例えば施設年度が交換時期となった配電設備や、その電柱の周辺の不良箇所を合わせて改修工事を立案することができる。これにより、電柱と関連設備や、その周辺をまとめて改修工事をできるため、要する時間や手間を削減可能であり、効率的な改修工事を立案することが可能となる。
【００５２】
また、緊急度が高く優先ポイントが高い順に、電柱不良箇所を並び替えるため、改修の緊急度と優先ポイントとを合わせて把握することができるので、より適切に不良箇所の改修工事を管理することができる。
【００５３】
さらに、電柱不良箇所に優先ポイントを加味して図７に示すように地図上に表示するので、不良箇所の把握がより容易になる。すなわち、プロットされた地図を確認することにより、不良箇所が集中している地域などを容易に把握することができるので、効率的な改修工事の計画を立案が容易になる。例えば、担当者が地図を見て、電柱不良箇所の多い区域から先に改修工事を実施したり、緊急度が高い不良箇所の近くにある区域の改修工事を緊急度が高いものとあわせて実施したりするような、効率的な改修工事の立案が可能となる。
【００５４】
以上、この発明の実施の形態について説明したが、具体的な構成は、上記の実施の形態に限られるものではなく、この発明の要旨を逸脱しない範囲の設計の変更などがあっても、この発明に含まれる。例えば、上記の実施の形態では、電柱不良箇所抽出タスク４４は、担当者によって起動されるように説明したが、所定の日時に自動的に起動されるように制御部４０にプログラミングしてもよい。また、地図プロットタスク４６を、電柱不良箇所抽出タスク４４の終了後に自動的に起動されるように制御部４０にプログラミングしてもよい。
【００５５】
また、電柱不良箇所抽出タスク４４において電柱不良データに優先順位を付す際には、次のようにしてもよい。すなわち、緊急度が高い順、周辺電柱不良データの数が多い順、抽出された配電設備の数が多い順に優先順位を高くするようにしてもよい。
【００５６】
また、電柱不良箇所抽出タスク４４のステップＳ５において、各電柱不良データにポイントを加算するは、配電設備データの数を単に加算するのではなく、配電設備ごとに予め決められている係数（例えば、「電柱：３」、「電線：１」、「変圧器：２」）を掛けて、ポイントを加算したり、配電設備が、修理票データベース２１ａに不良情報を有している場合は、ポイントを高くして加算したりしてもよい。周辺電柱不良データの数についても同様に重み付けをして加算してもよい。
【符号の説明】
【００５７】
１              設備管理支援システム
２              修理票管理サーバ
２１            修理票情報記憶手段
３              配電地図情報管理サーバ
３１            設備情報記憶手段
３２            配電情報記憶手段
４              修理票管理支援サーバ
４２            表示部
４４            電柱不良箇所抽出タスク（電柱不良箇所抽出手段）
４５            周辺抽出タスク
４６            地図プロットタスク（地図プロット手段）
【図１】
0005485349.tif 000002
【図２】
0005485349.tif 000003
【図３】
0005485349.tif 000004
【図４】
0005485349.tif 000005
【図５】
0005485349.tif 000006
【図６】
0005485349.tif 000007
【図７】
0005485349.tif 000008